(57)【要約】      （修正有）【課題】液体貯留手段を液体流路から取り外した際に液体流路内の液体が吐出しない構成の液体噴射装置を提供する。【解決手段】液体貯留手段１５に貯留される液体を、液体流路１６を介して液体噴射ヘッドに供給し、この液体噴射ヘッドから液体を噴射する液体噴射装置であって、液体貯留手段１５が、液体流路１６に対して着脱可能に構成される液体噴射装置において、液体流路１６を封鎖する封鎖位置と封鎖しない非封鎖位置とに変位する流路封鎖手段２５と、流路封鎖手段２５を、液体貯留手段１５が液体流路１６から取り外される動作に連動して、非封鎖位置から封鎖位置に変位させる変位手段２６とを備える。【選択図】図３
2008230015.tif 000002
【特許請求の範囲】
【請求項１】
液体貯留手段に貯留される液体を、液体流路を介して液体噴射ヘッドに供給し、この液体噴射ヘッドから上記液体を噴射する液体噴射装置であって、上記液体貯留手段が、上記液体流路に対して着脱可能に構成される液体噴射装置において、
上記液体流路を封鎖する封鎖位置と封鎖しない非封鎖位置とに変位する流路封鎖手段と、
上記流路封鎖手段を、上記液体貯留手段が上記液体流路から取り外される動作に連動して、上記非封鎖位置から上記封鎖位置に変位させる変位手段と、
を備えることを特徴とする液体噴射装置。
【請求項２】
前記流路封鎖手段は、前記液体流路を形成する液体流路形成体の少なくとも一部を形成し、前記封鎖位置と前記非封鎖位置とに撓むことが可能に構成される可撓部を有し、
前記変位手段は、上記可撓部を前記封鎖位置に向けて押圧する押圧手段であることを特徴とする請求項１に記載の液体噴射装置。
【請求項３】
前記押圧手段は搖動可能に支持される杆体であり、
前記液体貯留手段が前記液体流路から取り外されている状態にあるときは、上記杆体は、この杆体の搖動中心に対して一方の側が前記可撓部を前記封鎖位置に向けて押圧するように揺動し、
前記液体貯留手段が前記液体流路に装着されている状態にあるときは、上記杆体の上記一方の側が上記押圧する方向とは反対側に揺動することを特徴とする請求項２に記載の液体噴射装置。
【請求項４】
前記杆体の前記一方の側を前記可撓部の側に付勢する付勢手段を備え、
前記液体貯留手段が前記液体流路に装着されている状態にあるときは、前記杆体の搖動中心に対して他方の側が、前記液体貯留手段に当接することにより、前記杆体の前記一方の側が、上記付勢手段の付勢力に抗する方向に揺動された位置に保持され、
前記液体貯留手段が前記液体流路から取り外された状態にあるときは、前記杆体の前記一方の側は、上記付勢手段による付勢力により、前記可撓部を前記封鎖位置に向けて押圧する、
ことを特徴とする請求項３に記載の液体噴射装置。
【請求項５】
前記可撓部の前記液体流路の封鎖部には、シール部材が備えられていることを特徴とする請求項２から４のいずれか１項に記載の液体噴射装置。
【発明の詳細な説明】
【技術分野】
【０００１】
本発明は、液体噴射装置に関する。
【背景技術】
【０００２】
液体噴射装置の一例であるインクジェットプリンタは、印刷媒体である印刷用紙に対して記録ヘッドからインクを噴射させることで、印刷用紙に記録または印刷を行う。記録ヘッドから噴射されるインクは、インクが貯留されているインクカートリッジから、インク流路を介して記録ヘッドに供給される。係るインクジェットプリンタにおいては、記録ヘッドは、液体噴射ヘッドとして機能し、インクカートリッジは液体であるインクを貯留する液体貯留手段として機能している。また、インク流路は液体流路として機能している。
【０００３】
インクカートリッジから記録ヘッドへのインクの供給は、インクカートリッジ内を加圧ポンプ等により加圧することで、インクカートリッジ内に収容されているインクパックを押圧し、インクパック内のインクをインク流路に押し出すことにより行われる。したがって、インクカートリッジ、インク流路内および記録ヘッド内は、インクカートリッジ内のインクを記録ヘッドに供給するために加圧状態にある。そのため、インクカートリッジの交換に当たり、インク流路からインクカートリッジを取り外すと、内部が加圧されているインク流路内のインクがインクカートリッジとの接続口から吐出してしまうという問題がある。
【０００４】
かかる問題を解決するため、特許文献１には、インクカートリッジと加圧ポンプとの間に大気開放弁を設けている構成が開示されている。このように大気開放弁を設けることによりインクカートリッジの取り外しに先立ち、この大気開放弁を開放することにより、インクカートリッジ、インク流路内および記録ヘッド内の圧力が減圧されるようになっている。
【０００５】
【特許文献１】特開２００１−２１２９７１号公報
【発明の開示】
【発明が解決しようとする課題】
【０００６】
しかしながら、特許文献１に開示の構成によれば、インクカートリッジの取り出しに先立ち、大気開放弁を開放する作業が必要であり、インクカートリッジの取り出し作業が煩雑になる。また、大気開放弁を開放することを忘れてインクカートリッジを取り出してしまった場合には、インクがインク流路から吐出してしまうという問題がある。
【０００７】
そこで本発明は、液体貯留手段を液体流路から取り外した際に液体流路内の液体が吐出しない構成の液体噴射装置を提供することを目的とする。
【課題を解決するための手段】
【０００８】
上述の課題を解決するため、液体貯留手段に貯留される液体を、液体流路を介して液体噴射ヘッドに供給し、この液体噴射ヘッドから液体を噴射する液体噴射装置であって、液体貯留手段が、液体流路に対して着脱可能に構成される液体噴射装置において、液体流路を封鎖する封鎖位置と封鎖しない非封鎖位置とに変位する流路封鎖手段と、流路封鎖手段を、液体貯留手段が液体流路から取り外される動作に連動して、非封鎖位置から封鎖位置に変位させる変位手段とを備えることとする。
【０００９】
液体噴射装置をこのように構成した場合には、液体貯留手段が液体流路から取り外される動作に連動して、流路封鎖手段を封鎖位置に変位させることができるので、液体貯留手段を液体流路から取り外しても、液体流路内の液体が、液体貯留手段との接続部から吐出することを防止できる。
【００１０】
また、他の発明は、上述の発明に加え、流路封鎖手段は、液体流路を形成する液体流路形成体の少なくとも一部を形成し、封鎖位置と非封鎖位置とに撓むことが可能に構成される可撓部を有し、変位手段は、可撓部を封鎖位置に向けて押圧する押圧手段であることとする。液体噴射装置をこのように構成した場合には、流路封鎖手段の構成を小型にすることができる。そのため、液体噴射装置も小型にすることができる。
【００１１】
また、他の発明は、上述の発明に加え、押圧手段は搖動可能に支持される杆体であり、液体貯留手段が液体流路から取り外されている状態にあるときは、杆体は、この杆体の搖動中心に対して一方の側が可撓部を封鎖位置に向けて押圧するように揺動し、液体貯留手段が液体流路に装着されている状態にあるときは、杆体の一方の側が押圧する方向とは反対側に揺動することとする。液体噴射装置をこのように構成した場合には、押圧手段による可撓部の押圧を確実に行なうことができる。
【００１２】
また、他の発明は、上述の発明に加え、杆体の一方の側を可撓部の側に付勢する付勢手段を備え、液体貯留手段が液体流路に装着されている状態にあるときは、杆体の搖動中心に対して他方の側が、液体貯留手段に当接することにより、杆体の一方の側が、付勢手段の付勢力に抗する方向に揺動された位置に保持され、液体貯留手段が液体流路から取り外された状態にあるときは、杆体の一方の側は、付勢手段による付勢力により、可撓部を封鎖位置に向けて押圧することとする。液体噴射装置をこのように構成した場合には、杆体による可撓部の押圧を確実に行なうことができる。
【００１３】
また、他の発明は、上述の発明に加え、可撓部の液体流路の封鎖部には、シール部材が備えられていることとする。液体噴射装置をこのように構成した場合には、可撓部による液体流路の封鎖を確実に行なうことができる。
【発明を実施するための最良の形態】
【００１４】
以下、本発明の実施の形態について、図面を参照しながら説明をする。
【００１５】
（第１の実施の形態／液体噴射装置の全体構成）
図１は、本発明の実施の形態に係る液体噴射装置としてのインクジェットプリンタ１（以下、単にプリンタと言う。）の要部斜視図である。図１において、Ｘ方向を左右方向、Ｙ方向を前後方向、Ｚ方向を上下方向として説明する。
【００１６】
図１に示すように、プリンタ１は、左右方向に長い直方体形状の筐体２を有している。そして、この筐体２内に、印字機構３およびインク供給機構４が配設されている。
【００１７】
印字機構３は、プラテン５、ガイド軸６、キャリッジ７等から構成されている。
【００１８】
プラテン５は、直方体形の薄板状を呈し、筐体２の下部に配設され、筐体２の長手方向、すなわち左右方向に、プラテン５の長手方向を沿わせる向きで、筐体２に対して架設されている。このプラテン５は、図示を省略する給紙トレイと排紙トレイの間に配設されている。そして、図示を省略する紙送り機構によって、印刷媒体となる印刷用紙が、給紙トレイ（図示省略）からプラテン５を通って排紙トレイ（図示省略）に給送される。プラテン５上において、インク（液体）の塗布対象である印刷用紙にインクが塗布され、紙面上に画像が形成される。
【００１９】
プラテン５の上方には、プラテン５と平行にガイド軸６が架設されている。そして、このガイド軸６には、ガイド軸６にガイドされて移動するキャリッジ７が支持されている。
【００２０】
筐体２内には、図示を省略するキャリッジ駆動用のモータが備えられ、このモータとキャリッジ７とが図示を省略するタイミングベルトを介して接続されている。したがって、キャリッジ７は、モータ（図示省略）の駆動力を、タイミングベルト（図示省略）を介して受け、ガイド軸６に沿って往復移動することができるようになっている。
【００２１】
キャリッジ７の下面には、インク供給機構４から供給されるインクを噴射する液体噴射ヘッドである記録ヘッド８が設けられている。この記録ヘッド８の下面側には、図示を省略する複数の噴射ノズルが設けられている。記録ヘッド８の内部には、図示を省略する圧電素子が各噴射ノズル（図示省略）に対応して備えられている。そして、各圧電素子が駆動制御されることにより、インク供給機構４から供給されるインクが、噴射ノズル（図示省略）から下方に向けて噴射されるように構成されている。
【００２２】
なお、キャリッジ７には、複数のサブタンク（バルブユニットとも言われる。）９が搭載され、インクは、インク供給機構４から、一旦、サブタンク９内に供給され、サブタンク９内のインクが噴射ノズル（図示省略）から噴射させられる。
【００２３】
インク供給機構４は、インクカートリッジホルダ取付体１０、インクカートリッジホルダ１１、加圧ポンプ１２、可撓性チューブ１３および流路封鎖機構１４等から構成されている。
【００２４】
インクカートリッジホルダ取付体１０は、筐体２の左右方向にそれぞれ配設されている。各インクカートリッジホルダ取付体１０には、それぞれ、インクカートリッジホルダ１１および加圧ポンプ１２が備えられている。２つのインクカートリッジホルダ取付体１０は、それぞれ１本の可撓性チューブ１３に接続されている。
【００２５】
２つのインクカートリッジホルダ取付体１０にそれぞれ備えられている２つのインクカートリッジホルダ１１には、それぞれ、図２に示すように液体貯留手段として、インクが貯留されるインクカートリッジ１５が３つずつ着脱可能に装着される。この図２は、インク供給機構４の右側部分を構成するインクカートリッジホルダ１１およびインクカートリッジホルダ取付体１０の部分を後方から見た構成を示すもので、左側のインクカートリッジホルダ１１にも同様に、３つのインクカートリッジ１５が装填されている。そして、これらの各インクカートリッジホルダ取付体１０には、インクカートリッジ１５にそれぞれ対応して流路封鎖機構１４が設けられている。
【００２６】
左右のインクカートリッジホルダ１１は、キャリッジ７の移動領域から外れる位置となる筐体２の内部の左右位置に配設されている。各インクカートリッジホルダ取付体１０および各インクカートリッジホルダ１１は、それぞれ筐体２に対して固定的に備えられている。すなわち、本実施の形態に係るプリンタ１は、インクカートリッジ１５がキャリッジ７と共に移動しない、いわゆるオフキャリッジタイプのプリンタとして構成されている。
【００２７】
各インクカートリッジホルダ１１の上部には、それぞれ、蛇腹ポンプ等で構成された加圧ポンプ１２が設けられている。これらの加圧ポンプ１２は、図示を省略するチューブを介して左右のインクカートリッジホルダ１１内に装填されている各インクカートリッジ１５にそれぞれに接続されている。各インクカートリッジ１５内が加圧ポンプ１２により加圧されると、各インクカートリッジ１５内に備えられる図示を省略するインクパックが押し潰されるように変形し、インクパック内のインクがインクカートリッジホルダ取付体１０に形成される液体流路としてのインク流路１６へ送り出される。
【００２８】
インクカートリッジホルダ取付体１０は、アクリルあるいはＡＢＳ等の硬度が高い樹脂材から形成される基材１７と、基材１７の前面１７ｆ（キャリッジ７と対向する側の面）に固着される熱可塑性樹脂からなるフィルム１８とを有している。フィルム１８は、例えば、ポリエチレンテレフタラート、ナイロン、アルミニウム等が積層される層に対して、ポリプロピレン、又はポリエチレン等の複数の熱可塑性樹脂層を積層した積層フィルムであり、水蒸気を通過させない構成になっている。フィルム１８は、薄いシート状を呈するため、可撓性を有する。
【００２９】
基材１７の前面１７ｆには、前面１７ｆに沿う開口部を有する溝部１９が形成され、フィルム１８は、この溝部１９の開口部を封止するように基材１７に対して熱圧着等により貼り付けられている。溝部１９の開口部がフィルム１８により封止されることで、液体流路としてのインク流路１６が形成される。すなわち、インクカートリッジホルダ取付体１０は、液体流路形成体として構成される。インク流路１６は、インクカートリッジホルダ取付体１０にそれぞれ３つずつ、合計６本、形成されている。したがって、インク流路１６は、６つのインクカートリッジ１５それぞれについて形成されている。
【００３０】
溝部１９は、インクカートリッジホルダ１１が取り付けられる部分において前後に貫ける孔部２０（図３参照）を介して、インクカートリッジ１５との接続部２１に繋がっている。孔部２０および接続部２１は、６つの溝部１９および６つのインクカートリッジ１５毎にそれぞれ形成されている。したがって、各インクカートリッジ１５内のインクは、それぞれ孔部２０を通ってそれぞれ対応する溝部１９側に流れ出る。
【００３１】
また、各インクカートリッジホルダ取付体１０の可撓性チューブ１３側の先端部には、各インク流路１６と可撓性チューブ１３とを液密な状態で接続する接続部２２が設けられている。したがって、インクカートリッジ１５からインク流路１６へ送り出されたインクは、インク流路１６を通って、可撓性チューブ１３に流れる。可撓性チューブ１３内には、各インク流路１６に対応して不図示の複数のインク流路が形成されている。可撓性チューブ１３内のインク流路（不図示）は、インク流路１６と共に液体流路を構成する。各インクカートリッジ１５から押し出されたインクは、それぞれ別々のインク流路１６と可撓性チューブ１３内のインク流路（不図示）を通り、サブタンク９に一時貯留される。そして、その貯留されたインクが、記録ヘッド８の噴射ノズル（図示省略）から、下方に向けて噴射される。各インクカートリッジ１５に、例えば、それぞれ異なる色（例えば、ブラック、イエロー、マゼンダ、シアン、ライトマゼンダ、ライトシアンの６色）のインクを貯留することで、印刷用紙に多色の画像を形成することができる。
【００３２】
オフキャリッジタイプのプリンタ１においては、インクカートリッジ１５が、筐体２に対して固定されているため、キャリッジ７の移動が許容されるように、キャリッジ７に搭載されるサブタンク９とインクカートリッジ１５との間のインクの流路を形成する部材に可撓性が要求される。したがって、本実施の形態のプリンタ１においては、サブタンク９とインクカートリッジ１５との間に、可撓性を有する可撓性チューブ１３を介在させることにより、筐体２に固定されるインクカートリッジ１５に対して、キャリッジ７が移動することができるように構成されている。
【００３３】
可撓性チューブ１３は、ポリエステルエラストマー樹脂、ポリウレタンエラストマー樹脂、オレフィン系の熱可塑性エラストマー等のエラストマー樹脂、シリコーンゴム等の弾力を有すると共に可撓性を有する樹脂材から形成されている。
【００３４】
（流路封鎖機構の構成）
次に、図２および図３を参照しながら、流路封鎖機構１４の構成について説明する。
【００３５】
図３は、図２に示す切断線Ａ−Ａにおける概略の構成を示す概略断面図である。６つのインクカートリッジ１５のそれぞれについて設けられる流路封鎖機構１４は、それぞれ同様の構成である。そこで、切断線Ａ−Ａに対応する流路封鎖機構１４の構成のみ説明し、他の流路封鎖機構１４の構成については、説明を省略する。
【００３６】
図３（Ａ）は、インクカートリッジ１５が、インクカートリッジホルダ１１内に装填されている状態を示している。図３（Ｂ）は、インクカートリッジ１５が、インクカートリッジホルダ１１から取り出されている状態を示している。
【００３７】
インク流路１６のインクカートリッジ１５側の端部となる接続部２１は、内部が中空の細いノズル状を呈している。インクカートリッジ１５には、接続部２１が刺し込まれる接続部２４が設けられている。接続部２１が接続部２４からインクカートリッジ１５の内部に刺し込まれることにより、インクカートリッジ１５とインク流路１６との接続が行なわれる。図３（Ａ）に示すように、接続部２１が、接続部２４からインクカートリッジ１５内に刺し込まれるように、インクカートリッジ１５をインクカートリッジホルダ１１に装填することで、インクカートリッジ１５内のインクがインク流路１６へ流出可能となる。すなわち、インクカートリッジ１５がインクカートリッジホルダ１１に装填された状態は、インクカートリッジ１５がインク流路１６に装着（接続）された状態となっている。
【００３８】
流路封鎖機構１４は、流路封鎖手段としてフィルム２５、フィルム２５を封鎖位置から非封鎖位置に変位させる変位手段としての搖動杆２６、コイルバネ２７等から構成される。
【００３９】
インク流路１６は、その一部分が、インクカートリッジホルダ取付体１０の後面、すなわち、基材１７の後面１７ｂ側に形成される後面側流路２８として形成されている。インクカートリッジホルダ取付体１０の基材１７には、インクカートリッジ１５の上面よりやや上方の位置に後方に向けて突出する突出部２９が形成されている。後面側流路２８は、この突出部２９内に形成されている。
【００４０】
突出部２９の内部には、前面１７ｆと突出部２９の後端面３０とに貫ける２つの孔部３１と孔部３２が形成されている。孔部２０の前面１７ｆ側の端部から上方に伸びるインク流路１６は、孔部３１に繋がり後端面３０に貫ける。また、孔部３１は、後端面３０を介して、孔部３１よりも上方に位置する孔部３２に繋がり再び前面１７ｆに貫ける。孔部３１の後端縁３１ａは、突出部２９の後端面３０より、低い位置（前面側）となっている。そのため、突出部２９の後端面３０にフィルム２５を貼り付けると、孔部３１の後端縁３１ａとフィルム２５との間に間隙３３が形成され、この間隙３３の部分が後面側流路２８として形成されることになる。なおフィルム２５は、フィルム１８と同一の構成の積層フィルムが使用されている。
【００４１】
孔部３１の後端縁３１ａは、円筒部に形成され、後端縁３１ａには、リング状のシール部材３４が嵌められている。このシール部材３４は、後端縁３１ａよりも後方に向かって突出している。一方、後面側流路２８を形成するフィルム２５の内側（孔部３１側）の面には、シール部材３４と対向する位置に板状のシール部材３５が貼り付け等により設けられている。また、シール部材３４とシール部材３５との間は、後面側流路２８となる間隙３３が形成され、かつ、両者が密着可能となるように、シール部材３４の高さ（前後方向の厚さ）やシール部材３５の厚さ（前後方向の厚さ）が設定されている。
【００４２】
搖動杆２６は、インクカートリッジホルダ取付体１０の後面１７ｂに後方に突出した状態で形成される軸受部３６に、軸部３７を中心（この軸部３７が搖動中心に対応）に前後方向に回動可能に、すなわち、搖動可能に軸支されている。搖動杆２６の上端部２６ａとインクカートリッジホルダ取付体１０との間には、付勢手段としてコイルバネ２７が架け渡されている。搖動杆２６は、このコイルバネ２７の付勢力により、上端部２６ａ側（この上端部２６ａ側が一方の側に対応）がインクカートリッジホルダ取付体１０側に、常時、付勢されている。すなわち、搖動杆２６は、コイルバネ２７により軸部３７の周りに図において反時計回りの方向に付勢されている。
【００４３】
搖動杆２６の前面には、図３（Ｂ）に示すように、反時計周りの方向に回動させられた状態で、フィルム２５と対向する位置に突部２６ｂが形成されている。この突部２６ｂは、搖動杆２６の前面よりも前方に突出している。そのため、搖動杆２６が反時計周りの方向に回動させられると、突部２６ｂは、フィルム２５に当接する。ここで、突部２６ｂは、略半球状の突起を呈するように構成されている。また、突部２６ｂがフィルム２５に当接する状態においては、シール部材３４、シール部材３５および突部２６ｂの中心は、前後方向に沿う軸線上に位置するように設けられている。
【００４４】
搖動杆２６は、コイルバネ２７により反時計周り付勢力されているため、突部２６ｂは、フィルム２５を前方、すなわち、孔部３１の方向に押圧する。また、フィルム２５は、可撓性を有する。そのため、フィルム２５は、後方から前方に向かって突部２６ｂにより押圧されることで前方に撓み、シール部材３５がシール部材３４に当接する位置である封鎖位置に変位する。
【００４５】
一方、コイルバネ２７の付勢力に抗して、搖動杆２６が、図３（Ａ）に示すように、時計周りの方向に回動すると、突部２６ｂによるフィルム２５の押圧が解除される。これにより、フィルム２５は、自身が有する復元力、またはインクの液圧により撓みが解消し、シール部材３５がシール部材３４から離れた位置となる非封鎖位置に変位する。
【００４６】
搖動杆２６は、図３（Ａ），（Ｂ）に示すように、インクカートリッジ１５のインクカートリッジホルダ１１への着脱状態に対応して、前後方向の回動位置を変える。図３（Ａ）に示すように、インクカートリッジ１５がインクカートリッジホルダ１１に装填された状態、すなわち、インクカートリッジ１５がインク流路１６に装着された状態では、搖動杆２６の軸部３７の下側（他方の側に対応）に位置するインクカートリッジ当接部２６ｃにインクカートリッジ１５の前面部３８が当接し、搖動杆２６は時計周りの方向に回動した状態となる。この状態では、上述したように、突部２６ｂがフィルム２５を押圧する力が解除されている。そのため、フィルム２５は、非封鎖位置に変位した状態にあり、シール部材３４とシール部材３５との間には間隙３３が形成されている。この間隙３３の間をインクがインクカートリッジ１５側から記録ヘッド８の側へ流れることができる。
【００４７】
一方、図３（Ｂ）に示すように、インクカートリッジ１５がインクカートリッジホルダ１１から取り外されている状態、すなわち、インクカートリッジ１５がインク流路１６から取り外されている状態では、搖動杆２６は、コイルバネ２７の付勢力により、反時計周りの方向に回動した状態となる。このとき、フィルム２５は突部２６ｂにより前方に押圧され、シール部材３５がシール部材３４に当接する封鎖位置に変位する。シール部材３５がシール部材３４に当接することで、孔部３１が封鎖される。すなわち、インク流路１６が、後面側流路２８の部分で封鎖されることになる。
【００４８】
流路封鎖機構１４を上述のように構成することで、インクカートリッジ１５がインク流路１６から取り外されるのに連動して、搖動杆２６が、コイルバネ２７の付勢力により反時計周りに回動する。そして、突部２６ｂがフィルム２５を押圧し、フィルム２５を封鎖位置に変位させることで、インク流路１６の一部である後面側流路２８が封鎖される。このため、後面側流路２８より記録ヘッド８側のインク流路１６に溜まっているインクが接続部２１側に流れることが阻止される。すなわち、インク流路１６内が加圧状態となっていても、インク流路１６に溜まってインクが接続部２１から吐出してしまうことを防止することができる。なお、コイルバネ２７のばね定数は、フィルム２５の復元力とインクの液圧の合計よりも大きくなるように設定されている。
【００４９】
また、インクカートリッジ１５をインクカートリッジホルダ１１に装着する際には、搖動杆２６は、インクカートリッジ当接部２６ｃがインクカートリッジ１５に当接することで、インクカートリッジ１５の装着動作に連動して、コイルバネ２７の付勢力に抗して時計周りに回動する。搖動杆２６が時計周りに回動することで、突部２６ｂがフィルム２５を押圧する力が解除され、フィルム２５は非封鎖位置に変位する。インクカートリッジ１５がインクカートリッジホルダ１１に装着している間は、インクカートリッジ１５が搖動杆２６の時計回りの回動を阻止するため、フィルム２５は非封鎖位置に保持される。
【００５０】
この実施の形態では、流路封鎖手段であるフィルム２５が封鎖位置に変位してシール部材３５がシール部材３４に当接することにより、孔部３１が封鎖される構成となっている。この構成に対して、シール部材３４およびシール部材３５を設けることなく、フィルム２５が直接、孔部３１の後端縁３１ａに当接し、孔部３１を封鎖し、インク流路１６を封鎖することとしてもよい。しかしながら、シール部材３４およびシール部材３５を当接させて孔部３１を封鎖することにより、インク流路１６の封鎖をより確実なものとすることができる。
【００５１】
なお、上述したフィルム２５は、液体流路形成体としてのインクカートリッジホルダ取付体１０の一部を形成するものである。そのため、コンパクトな構成で、液体流路としてのインク流路１６を封鎖する流路封鎖手段を構成することができる。
【００５２】
なお、フィルム２５に換えて、ゴム等の可撓性のあるダイヤフラムを使用してもよい。この場合には、孔部３１と孔部３２を後面１７ｂ側で繋がる部分である後端面３０側に開口した部分をダイヤフラムにより封止することで、後面側流路２８が形成されることになる。また、コイルバネ２７の代わりに板バネあるいはゴムを付勢手段として使用してもよい。
【００５３】
（第２の実施の形態）
次に、図４（Ａ），（Ｂ）を参照しながら、上述の流路封鎖機構１４の他の構成について、本発明の第２の実施の形態として説明する。上述の第１の実施の形態と同様の機能を果たす構成部分につては、同一の符号を付し、その説明を省略する。
【００５４】
流路封鎖機構１４の他の構成である流路封鎖機構４０は、孔部３１を封鎖状態と非封鎖状態とする流路封鎖手段として仕切弁４１と、この仕切弁４１を封鎖位置と非封鎖位置に変位させる変位手段としてのコイルバネ４２と、スライド杆４３等を有する。
【００５５】
孔部３１を挟んで、孔部３１の上下には、孔部３１の側面に開口が形成される仕切弁保持孔４４が形成されている。この仕切弁保持孔４４には、仕切弁４１が上下方向に移動可能に保持されている。仕切弁４１の上方には、仕切弁保持孔４４の上端部４４ａとの間にコイルバネ４２が備えられている。仕切弁４１は、このコイルバネ４２により下方に向けて付勢されている。
【００５６】
仕切弁４１には、前後方向に貫通する孔部４５が形成されている。仕切弁保持孔４４内における仕切弁４１の上下方向の位置が、孔部３１内に孔部４５が配置される非封鎖位置となっているときには、インクは、孔部４５を通って孔部３１内を流れることができる。一方、仕切弁４１が非封鎖位置より下方に位置し、孔部４５が孔部３１内に配置されていない封鎖位置となっているときは、孔部３１は仕切弁４１により封鎖され、インクは、孔部３１内を流れることができない。
【００５７】
スライド杆４３は、インクカートリッジホルダ取付体１０の後面１７ｂから前方に向けて形成されるスライド杆保持孔４６内に、前後方向に移動可能に保持されている。スライド杆保持孔４６の前端部と仕切弁保持孔４４の下端部とは繋がっている。したがって、仕切弁４１は、下方に変位したときに、仕切弁４１の下端部４１ａがスライド杆保持孔４６内に突出することになる。また、スライド杆４３は、前方に変位したときに、スライド杆４３の前端部４３ａが仕切弁保持孔４４内に突出することになる。スライド杆４３の前端部４３ａには、上方に向く傾斜面４３ｂが形成されている。また仕切弁４１の下端部４１ａには、後方に向く傾斜面４１ｂが形成されている。したがって、スライド杆４３が前方に変位すると、傾斜面４３ｂと傾斜面４１ｂの作用により、仕切弁４１は上方に変位する。逆に、仕切弁４１が下方に変位するときは、傾斜面４３ｂと傾斜面４１ｂの作用により、スライド杆４３が後方に変位する。
【００５８】
図４（Ａ）に示すように、インクカートリッジ１５がインクカートリッジホルダ１１に装填されている状態（インクカートリッジ１５がインク流路１６に装着されている状態）のとき、スライド杆４３の後端部４３ｃにインクカートリッジ１５の前面部３８が当接し、スライド杆４３は、前方に変位した状態となる。このとき、スライド杆４３は、仕切弁４１をコイルバネ４２の付勢力に抗して上方に変位させる。スライド杆４３により上方に変位された仕切弁４１は、非封鎖位置に変位させられている。すなわち、孔部４５が孔部３１内に位置している。なお、仕切弁４１は、コイルバネ４２により下方に付勢されている。そのため、傾斜面４１ｂと傾斜面４３ｂの作用により、スライド杆４３には、後方に向けて変位しようとする力が作用している。しかしながら、後端部４３ｃがインクカートリッジ１５の前面部３８に当接し、後方への変位が阻止されている。
【００５９】
一方、図４（Ｂ）に示すように、インクカートリッジ１５がインクカートリッジホルダ１１から取り外されている状態（インクカートリッジ１５がインク流路１６から取り外されている状態）のとき、仕切弁４１は、コイルバネ４２の付勢力により下方に変位する。インクカートリッジ１５をインクカートリッジホルダ１１から取り外すと、コイルバネ４２の付勢力を受けて仕切弁４１は、仕切弁４１の傾斜面４１ｂとスライド杆４３の傾斜面４３ｂの作用により、スライド杆４３を後方に変位させながら下方に変位する。下方に変位した仕切弁４１は、封鎖位置に変位させられている。すなわち、孔部４５は、孔部３１より下側に退避した位置となり、孔部３１は仕切弁４１により封鎖された状態となる。
【００６０】
流路封鎖機構４０をこのように構成することで、インクカートリッジ１５がインクカートリッジホルダ１１から取り外されると、スライド杆４３のインクカートリッジ１５による後方への変位が阻止されなくなる。そのため、コイルバネ４２が伸張し、仕切弁４１を封鎖位置に変位させる。すなわち、インクカートリッジ１５がインクカートリッジホルダ１１から取り外されるのに連動して、コイルバネ４２が伸張する。そして、仕切弁４１を封鎖位置に変位させることで、インク流路１６の一部である孔部３１が封鎖状態となる。このため、インク流路１６内が加圧状態となっていても、インク流路１６に溜まってインクが接続部２１から吐出してしまうことを防止することができる。
【００６１】
また、インクカートリッジ１５をインクカートリッジホルダ１１に装着する際には、スライド杆４３の後端部４３ｃがインクカートリッジ１５に当接することで、インクカートリッジ１５の装着動作に連動して、コイルバネ４２の付勢力に抗してスライド杆４３が前方に変位する。スライド杆４３が前方に変位することで、仕切弁４１を非封鎖位置に変位させる。インクカートリッジ１５がインクカートリッジホルダ１１に装着している間は、インクカートリッジ１５がスライド杆４３の後方への変位を阻止するため、仕切弁４１は非封鎖位置に保持される。
【図面の簡単な説明】
【００６２】
【図１】本発明の第１の実施の形態に係るプリンタの斜視図である
【図２】図１に示すプリンタのインクカートリッジホルダおよびインクカートリッジホルダ取付体を後方から見た構成を示す図である。
【図３】図１に示すプリンタの流路封鎖機構の構成を示す図で、図２に示す切断線Ａ−Ａにおける概略の構成を示す概略断面図である。
【図４】本発明の第２の実施の形態に係るプリンタの流路封鎖機構の構成を示す図である。
【符号の説明】
【００６３】
１  …  インクジェットプリンタ（液体噴射装置）    ８  …  記録ヘッド（液体噴射ヘッド）      １５  …  インクカートリッジ（液体貯留手段）    １６  …  インク流路（液体流路）    ２５  …  フィルム（可撓部／流路封鎖手段）    ２６  …  搖動杆（杆体／押圧手段／変位手段）    ２７  …  コイルバネ（付勢手段）    ３４，３５  …  シール部材    ４１  …  仕切弁（流路封鎖手段）    ４２  …  コイルバネ（変位手段）
【図１】
2008230015.tif 000003
【図２】
2008230015.tif 000004
【図３】
2008230015.tif 000005
【図４】
2008230015.tif 000006